(57)【要約】【課題】閉塞部の上半部に意図した形状の開口部を容易に形成することができる包装箱を提供する。【解決手段】包装箱１は、胴部５１と、閉塞部５２，５３とを備え、胴部５１は、第１側板２，３及び第２側板４，５により形成され、閉塞部５２，５３は、内フラップ２１，２２，２５，２６を互いに間隙を存して内方に折り曲げ、下部外フラップ１３，１４及び上部外フラップ１７，１８を内方に折り曲げて内フラップ２１，２２，２５，２６に重合接着することにより形成される。所定の幅で形成された第１破断手段４１を備え、上部外フラップ１７，１８は第１破断手段４１の上端縁に沿って重合接着され、下部外フラップ１３，１４は第１破断手段の下端縁に沿って重合接着され、先端中央部に突出部２７，２８を備える。内フラップ２１，２２，２５，２６の上半部に突出部２７，２８の外縁に沿って第２破断手段４２を備える。【選択図】  図２
2019142543.tif 000002
【特許請求の範囲】
【請求項１】
四角筒状の胴部と、該胴部の両端を閉塞する一対の閉塞部とを備え、前記胴部は、交互に連設された各一対の第１側板及び第２側板により形成され、前記閉塞部は、各第２側板の両端縁から内方に延設され、向かい合う先端縁が間隙を存する各内フラップと、各第１側板の両端縁から内方に延設され、前記内フラップの外側に重合接着される各外フラップとにより形成される段ボール板紙製包装箱において、
各内フラップから各第２側板に亘って所定の幅で形成された第１破断手段を備え、
前記閉塞部の上半部を閉塞する上部外フラップはその先端が第１破断手段の上端縁に沿って内フラップに重合接着され、前記閉塞部の下半部を閉塞する下部外フラップはその先端が第１破断手段の下端縁に沿って内フラップに重合接着される一方、先端中央部に第１破断手段を超えて上部外フラップの先端に向かって突出し、各内フラップ間の間隙を閉塞する突出部を備え、
各内フラップの上半部にその先端から前記突出部の外縁に沿って第１破断手段の上端縁に至る第２破断手段を備えることを特徴とする包装箱。
【請求項２】
請求項１記載の包装箱において、前記閉塞部の上半部を閉塞する外フラップと第１側板との接続部に第３破断手段を備え、内フラップの上半部と第２側板との接続部に第４破断手段を備えることを特徴とする包装箱。
【発明の詳細な説明】
【技術分野】
【０００１】
本発明は、段ボール板紙により形成された包装箱に関する。
【背景技術】
【０００２】
従来、交互に連設された各一対の第１側板及び第２側板により形成された四角筒状の胴部と、該胴部の両端を閉塞する一対の閉塞部とを備え、該閉塞部は、各第２側板の両端縁に連設された各内フラップを内方に折り曲げ、各第１側板の両端縁に連設された各外フラップを内方に折り曲げて、内フラップに重合接着することにより形成される包装箱が知られている（特許文献１参照）。
【０００３】
特許文献１記載の包装箱では、開封作業等を容易にするため、各第２側板及び内フラップに２条の破断可能線からなる段ボール破断用ジッパーが設けられている。そして、前記閉塞部では、前記段ボール破断用ジッパーが通過できるように、上下の外フラップがそれぞれ該段ボール破断用ジッパーの上下の破断可能線に沿って内フラップに重合接着されている。
【０００４】
一方、前記包装箱は、飲料缶等を自販機等に投入する際に、該飲料缶等を１本ずつ取り出すことを容易にするために、前記閉塞部の一方において、上半部を開口することが望まれる。この場合、前記包装箱では、前記閉塞部の上半部を閉塞する上部外フラップを内フラップから剥離して折り起こした後、左右の内フラップの上半部が前記破断可能線に沿って破断される。
【先行技術文献】
【特許文献】
【０００５】
【特許文献１】特開２０１６−１５５５５９号公報
【発明の概要】
【発明が解決しようとする課題】
【０００６】
しかしながら、特許文献１記載の包装箱では、左右の内フラップの上半部を破断可能線に沿って破断しつつ折り起こす際に、段ボール破断用ジッパーの上下の破断可能線のどちらに沿って破断するか制御できず、意図しない形状の開口部が形成されることがあるという不都合がある。
【０００７】
本発明は、かかる不都合を解消して、前記閉塞部の上半部に意図した形状の開口部を容易に形成することができる包装箱を提供することを目的とする。
【課題を解決するための手段】
【０００８】
かかる目的を達成するために、本発明の包装箱は、四角筒状の胴部と、該胴部の両端を閉塞する一対の閉塞部とを備え、前記胴部は、交互に連設された各一対の第１側板及び第２側板により形成され、前記閉塞部は、各第２側板の両端縁から内方に延設され、向かい合う先端縁が間隙を存する各内フラップと、各第１側板の両端縁から内方に延設され、前記内フラップの外側に重合接着される各外フラップとにより形成される段ボール板紙製包装箱において、各内フラップから各第２側板に亘って所定の幅で形成された第１破断手段を備え、前記閉塞部の上半部を閉塞する上部外フラップはその先端が第１破断手段の上端縁に沿って内フラップに重合接着され、前記閉塞部の下半部を閉塞する下部外フラップはその先端が第１破断手段の下端縁に沿って内フラップに重合接着される一方、先端中央部に第１破断手段を超えて上部外フラップの先端に向かって突出し、各内フラップ間の間隙を閉塞する突出部を備え、各内フラップの上半部にその先端から前記突出部の外縁に沿って第１破断手段の上端縁に至る第２破断手段を備えることを特徴とする。
【０００９】
本発明の包装箱において、前記閉塞部の上半部に開口を形成するときには、まず、上部外フラップを該上部外フラップが重合接着されている左右の内フラップから剥離して折り起こす。次いで、左右の内フラップの間隙に手を入れて各内フラップの上半部を第1破断手段に沿って破断しつつ折り起こす。
【００１０】
このとき、左右の内フラップは前記突出部により抑止されているが、本発明の包装箱では、各内フラップの上半部を第２の破断手段に沿って破断することにより、前記突出部を回避して、容易に第1破断手段の上端縁又は下端縁のいずれかに沿って破断しつつ折り起こすことができ、前記閉塞部の上半部に意図した形状の開口部を容易に形成することができる。
【００１１】
また、本発明の包装箱は、前記閉塞部の上半部を閉塞する外フラップと第１側板との接続部に第３破断手段を備え、内フラップの上半部と第２側板との接続部に第４破断手段を備えることが好ましい。
【００１２】
本発明の包装箱は、折り起こした上部外フラップを第３の破断手段により破断して除去することができ、折り起こした内フラップの上半部を第３の破断手段により破断して除去することができるので、意図した形状の開口部をさらに容易に形成することができる。
【図面の簡単な説明】
【００１３】
【図１】本発明の包装箱の一実施形態を示す展開図。
【図２】図１に示す展開図を組み立てて得られる包装箱の斜視図。
【図３】Ａは図２に示す包装箱の外フラップを折り起こした状態を示す斜視図、Ｂは図２に示す包装箱の内フラップを折り起こした状態を示す斜視図、Ｃは図２に示す包装箱に開口部を形成した状態を示す斜視図。
【発明を実施するための形態】
【００１４】
次に、添付の図面を参照しながら本発明の実施の形態についてさらに詳しく説明する。
【００１５】
図１に展開状態（外面側）で示すように、本実施形態の包装箱１は、展開形状に打ち抜き形成した一枚の段ボール板紙により形成されており、各一対の第１側板２，３及び第２側板４，５が折目線６，７，８を介して交互に連設され、一方の第２側板４の折れ目線８と平行な端縁には折目線９を介して接着片１０が連設されている。
【００１６】
包装箱１では、第１側板２が底面となり、第１側板３が天面となるので、第１側板２の折り目線７，８と直交する端縁には、折目線１１，１２を介して下部外フラップ１３，１４が連設されており、第１側板３の折り目線６と直交する端縁には、折目線１５，１６を介して上部外フラップ１７，１８が連設されている。
【００１７】
また、第２側板４の折り目線８，９に直交する端縁には、折目線１９，２０を介して内フラップ２１，２２が連設されており、第２側板５の折り目線６，７に直交する端縁には、折目線１９，２０を介して内フラップ２１，２２が連設されている。
【００１８】
下部外フラップ１３，１４は、先端中央部に突出部２７，２８を備えており、上部外フラップ１７，１８は長円形状の手指差込部２９，３０を備えている。手指差込部２９，３０は、折れ目線１５，１６に近い側に折れ目線１５，１６と平行な折れ目線３１，３２を備え、長円形状の折れ目線３１，３２を除く部分に切れ目線３３，３４を備えている。
【００１９】
また、第１側板３は、折れ目線１５，１６に対して手指差込部２９，３０と対称となる位置に家形形状の手指差込部３５，３６を備えている。手指差込部３５，３６は、折れ目線１５，１６に近い側の家形形状の屋根に相当する部分に折れ目線１５，１６と平行な折れ目線３７，３８を備え、家形形状の折れ目線３１，３２を除く部分に切れ目線３９，４０を備えている。
【００２０】
包装箱１は、さらに、一方の内フラップ２１，２５から第２側板４，５を介して他方の内フラップ２２，２６にかけて直線状に形成された第１破断手段４１と、内フラップ２１，２２，２５，２６の先端部から第１破断手段４１にかけて円弧状に形成された切れ目線からなる第２破断手段４２と、上部外フラップ１７，１８と第１側板３との接続部である折れ目線１５，１６上に形成されたミシン線からなる第３破断手段４３と、内フラップ２１，２２，２５，２６と第２側板４，５との接続部である折れ目線１９，２０，２３，２４上の折れ目線６，９と第１破断手段４１とを結ぶ部分に形成されたミシン線からなる第４破断手段４４とを備えている。
【００２１】
第１破断手段４１は、例えば内フラップ２１，２２，２５，２６と第２側板４，５との裏面側に貼付された合成樹脂製テープと、該合成樹脂製テープの長さ方向に沿ってその両側に形成されたミシン目とにより所定の幅に形成されている。第１破断手段４１は、第２側板４，５の中央部に設けられたＨ字状の切れ目線からなるＨカット４５を起点として破断することができる。
【００２２】
包装箱１は、図２に示すように、第１側板２を底面としてその両側に第２側板４，５を折り曲げて起立させ、第１側板３を第１側板２と平行になるように折り曲げて天面とし、第２側板４に連設された接着片１０を折り曲げて第１側板３に重合接着することにより、四角筒状の胴部５１が形成される。胴部５１の両端を閉塞する一対の閉塞部５２，５３は、閉塞部５２を例として示すように、第２側板４，５の端縁に連設された内フラップ２１，２５を内方に折り曲げ、第１側板２の端縁に連設された下部外フラップ１３と、第１側板３の端縁に連設された上部外フラップ１７とを内方に折り曲げて内フラップ２１，２５に重合接着することにより形成される。
【００２３】
このとき、内フラップ２１，２５は互いに間隙を存して折り曲げられて、第２側板４，５の端縁から内方に延設され、向かい合う先端縁が間隙を存するようにされている。また、下部外フラップ１３は、第１側板２の端縁から内方に延設されて、第１破断手段４１の下端縁に沿って折り曲げられ、上部外フラップ１７は、第１側板３の端縁から内方に延設されて、第１破断手段４１の上端縁に沿って折り曲げられた状態とされている。この結果、内フラップ２１，２５の間隙と、下部外フラップ１３、上部外フラップ１７の間隙とにより、窓部５４が形成されることとなるが、下部外フラップ１３の先端部中央に設けられている突出部２７が第１破断手段４１を超えて上部外フラップ１７の先端に当接されることにより、窓部５４が閉塞されている。一方、内フラップ２１，２５の第２破断手段４２は、突出部２７の外縁に沿う位置に配設されるようになっている。
【００２４】
次に、図３を参照して、包装箱１の閉塞部５２に開口を形成する方法について説明する。
【００２５】
包装箱１の閉塞部５２に開口を形成するときには、まず、図３Ａに示すように、上部外フラップ１７を、内フラップ２１，２５から剥離して折り目線１５に沿って折り起こし、内フラップ２１，２５を露出させる。次いで、折り目線１５上に形成されている第３破断手段４３により上部外フラップ１７を破断して、除去する。上部外フラップ１７を破断した状態では、内フラップ２１，２５は、第１破断手段４１の上方で突出部２７により抑止されている。
【００２６】
次に、図３Ｂに示すように、内フラップ２１，２５の上半部（第１破断手段４１の上端縁から上の部分）を第２破断手段４２に沿って破断し、さらに第１破断手段４１の上端縁に沿って破断することにより、折り目線１９，２３に沿って折り起こす。内フラップ２１，２５の上半部は第２破断手段４２に沿って破断することにより、突出部２７の抑止を解除することができ、第１破断手段４１の上端縁に沿って容易に破断することができる。次いで、折り目線１９，２３上の折れ目線６，９と第１破断手段４１とを結ぶ部分に形成された第４破断手段４４により内フラップ２１，２５を破断して、除去する。
【００２７】
この結果、図３Ｃに示すように、閉塞部５２の第１破断手段４１の上端縁から上の上半部に開口部５５を形成することができる。
【００２８】
尚、本実施形態では、閉塞部５２を例として説明しているが、包装箱１では閉塞部５３にも閉塞部５２の場合と同様にして開口を形成することができる。
【符号の説明】
【００２９】
１…包装箱、  ２，３…第１側板、  ４，５…第２側板、  １３，１４…下部外フラップ、  １７，１８…上部外フラップ、  ２１，２２，２５，２６…内フラップ、  ２７，２８…突出部、  ４１…第１破断手段、  ４２…第２破断手段、  ５１…胴部、  ５２，５３…閉塞部。
【図１】
2019142543.tif 000003
【図２】
2019142543.tif 000004
【図３】
2019142543.tif 000005